(57)【要約】【課題】例えば初期使用時等でもポンプ室内への液体の流入が阻害され難いポンプインレット用フィルタを提供すること。【解決手段】ポンプインレット用フィルタ２１は、２枚の板状部２２，２３がその板厚方向に間隔を有して並設され、各板状部２２，２３には複数の長孔２２ａ，２３ａがその短手方向に並んで形成される。長孔２２ａ，２３ａは板厚方向から見て長手方向が互いに９０°の角度を有するように形成される。【選択図】図３
2014152739.tif 000002
【特許請求の範囲】
【請求項１】
ポンプのインレットに設けられるポンプインレット用フィルタであって、
複数枚の板状部がその板厚方向に間隔を有して並設され、各板状部には複数の長孔がその短手方向に並んで形成され、前記長孔は前記板厚方向から見て同板厚方向に隣り合う板状部の長孔に対してその長手方向が異なる角度を有するように形成されたことを特徴とするポンプインレット用フィルタ。
【請求項２】
請求項１に記載のポンプインレット用フィルタにおいて、
前記板状部は２枚設けられ、それらの長孔は前記板厚方向から見て長手方向が互いに９０°の角度を有するように形成されたことを特徴とするポンプインレット用フィルタ。
【請求項３】
請求項１又は２に記載のポンプインレット用フィルタにおいて、
前記板状部は、前記板厚方向に前記長孔の短手方向幅と同じ長さの間隔を有して並設されたことを特徴とするポンプインレット用フィルタ。
【請求項４】
請求項１乃至３のいずれか１項に記載のポンプインレット用フィルタにおいて、
前記板状部の中央部には、該板状部同士を前記板厚方向に連結する中央連結部が形成されたことを特徴とするポンプインレット用フィルタ。
【請求項５】
請求項１乃至４のいずれか１項に記載のポンプインレット用フィルタを備え、ウォッシャタンクに固定されて該ウォッシャタンク内のウォッシャ液を送給することを特徴とするウォッシャポンプ。
【発明の詳細な説明】
【技術分野】
【０００１】
本発明は、ポンプインレット用フィルタ、及びウォッシャポンプに関するものである。
【背景技術】
【０００２】
従来から車両用ウォッシャ装置では、ウォッシャタンクにウォッシャポンプが固定され、ウォッシャポンプのインレットはウォッシャタンクの内部に連通される。そして、上記のようなインレットには、ウォッシャタンクからウォッシャポンプ内のポンプ室への異物の侵入を抑制するためのポンプインレット用フィルタが設けられる。このようなポンプインレット用フィルタとしては、貫通方向から見て小さな四角形（スクエア形状）の微細孔が上下左右に並んで形成されるものがある（例えば特許文献１参照）。
【先行技術文献】
【特許文献】
【０００３】
【特許文献１】特開２００２−１６１８９９号公報
【発明の概要】
【発明が解決しようとする課題】
【０００４】
しかしながら、上記のようなウォッシャポンプでは、例えば初期使用時等、ウォッシャポンプ内のポンプ室にウォッシャ液が充填されていない状態では、表面張力によって微細孔にウォッシャ液が留まることで、該微細孔からポンプ室へのウォッシャ液の流入が行われずに、ウォッシャポンプを駆動させても空転するという虞があった。
【０００５】
本発明は、上記問題点を解決するためになされたものであって、その目的は、例えば初期使用時等でもポンプ室内への液体の流入が阻害され難いポンプインレット用フィルタ、及びウォッシャポンプを提供することにある。
【課題を解決するための手段】
【０００６】
上記課題を解決するポンプインレット用フィルタは、ポンプのインレットに設けられるポンプインレット用フィルタであって、複数枚の板状部がその板厚方向に間隔を有して並設され、各板状部には複数の長孔がその短手方向に並んで形成され、前記長孔は前記板厚方向から見て同板厚方向に隣り合う板状部の長孔に対してその長手方向が異なる角度を有するように形成される。
【０００７】
同構成によれば、液体が通過する孔が長孔とされ、該長孔が形成された板状部はその板厚方向に間隔を有して並設されるため、表面張力によって液体が留まることを抑えることができる。よって、例えば、初期使用時等でもポンプ室内への液体の流入が阻害され難くなる。又、長孔は板厚方向から見て同板厚方向に隣り合う板状部の長孔に対してその長手方向が異なる角度を有するように形成されるため、例えば、毛髪等の長尺な異物が前段の板状部の長孔を通過したとしても後段の板状部の長孔を通過することは困難となり、ポンプ室内への異物の侵入を抑制することができる。
【０００８】
上記ポンプインレット用フィルタにおいて、前記板状部は２枚設けられ、それらの長孔は前記板厚方向から見て長手方向が互いに９０°の角度を有するように形成されることが好ましい。
【０００９】
同構成によれば、板状部は２枚設けられ、それらの長孔は板厚方向から見て長手方向が互いに９０°の角度を有するように形成されるため、板状部の数を最低としながら、ポンプ室内への異物の侵入を効果的に抑制することができる。
【００１０】
上記ポンプインレット用フィルタにおいて、前記板状部は、前記板厚方向に前記長孔の短手方向幅と同じ長さの間隔を有して並設されることが好ましい。
同構成によれば、板状部は、板厚方向に長孔の短手方向幅と同じ長さの間隔を有して並設されるため、長孔の短手方向幅を表面張力によって液体が留まり難い最小の幅に設定したとすると、板状部の間隔も表面張力によって液体が留まり難い最小の間隔となり、ポンプインレット用フィルタ全体の前記板厚方向の厚さを極力薄くすることができる。
【００１１】
上記ポンプインレット用フィルタにおいて、前記板状部の中央部には、該板状部同士を前記板厚方向に連結する中央連結部が形成されることが好ましい。
同構成によれば、板状部の中央部には、該板状部同士を板厚方向に連結する中央連結部が形成されるため、中央連結部が形成されていないものに比べて、板状部を薄くしてもその中央部が撓んでしまうことを抑制することができる。
【００１２】
上記課題を解決するウォッシャポンプは、上記ポンプインレット用フィルタを備え、ウォッシャタンクに固定されて該ウォッシャタンク内のウォッシャ液を送給する。
同構成によれば、ウォッシャポンプにおいて、上記したポンプインレット用フィルタの効果を得ることができる。
【発明の効果】
【００１３】
本発明のポンプインレット用フィルタ、及びウォッシャポンプでは、例えば初期使用時等でもポンプ室内への液体の流入が阻害され難くなる。
【図面の簡単な説明】
【００１４】
【図１】一実施形態におけるウォッシャタンク及びウォッシャポンプの一部断面図。
【図２】同形態におけるポンプインレット用フィルタの断面図。
【図３】同形態におけるインレットとポンプインレット用フィルタの斜視図。
【発明を実施するための形態】
【００１５】
以下、ウォッシャポンプの一実施形態を図１〜図３に従って説明する。
図１に示すように、車両用ウォッシャ装置の一部であるウォッシャタンク１１にはポンプとしてのウォッシャポンプ１２が固定されている。
【００１６】
ウォッシャポンプ１２には、略筒状に突出するインレット１３及びアウトレット１４が設けられている。そして、ウォッシャポンプ１２は、内部の図示しないポンプモータが駆動されることによりインレット１３からウォッシャ液Ｗをポンプ室に取り込み、該ポンプ室のウォッシャ液Ｗをアウトレット１４から吐出する。インレット１３は、その先端部がウォッシャタンク１１内に配置されるように、その基端部がウォッシャタンク１１の固定孔１１ａにグロメット１５を介して内嵌されて固定される。又、アウトレット１４には、図示しないホースを介してウォッシャノズルが連通される。
【００１７】
そして、インレット１３の先端部には、ウォッシャタンク１１からウォッシャポンプ１２内のポンプ室への異物の侵入を抑制するためのポンプインレット用フィルタ２１が設けられている。
【００１８】
図２及び図３に示すように、ポンプインレット用フィルタ２１は、２枚の板状部２２，２３がその板厚方向に間隔Ａを有して並設されている。
詳しくは、本実施形態の板状部２２，２３は略円盤状に形成され、その外周縁が一対の外周連結部２４によって板厚方向に間隔Ａを有しつつ連結されている。尚、外周連結部２４は、１８０°間隔で形成され、該外周連結部２４が形成されていない部分は開口部２５とされている。この開口部２５は、ポンプインレット用フィルタ２１を一体成形する際にスライドコアが配置されることで形成され、ウォッシャタンク１１に固定された状態では前記グロメット１５によって閉塞されることになる。又、本実施形態の各外周連結部２４には、径方向外側に突出する円柱状の固定用凸部２６が形成されている。そして、ポンプインレット用フィルタ２１は、固定用凸部２６が前記インレット１３に形成された略Ｕ字状の保持部１３ａに嵌着されることでインレット１３に固定される。
【００１９】
各板状部２２，２３には複数の長孔２２ａ，２３ａがその短手方向に並んで形成されている。この一方の板状部２２の長孔２２ａは板厚方向から見て他方の板状部２３の長孔２３ａに対してその長手方向が異なる角度を有するように形成されている。本実施形態の長孔２２ａ，２３ａは前記板厚方向から見て長手方向が互いに９０°の角度を有するように、言い換えると直交するように形成されている。又、長孔２２ａ，２３ａの短手方向幅Ｂは、前記板状部２２，２３同士の間隔Ａと同じに設定されている。
【００２０】
又、本実施形態の板状部２２，２３の中央部には、該板状部２２，２３同士を前記板厚方向に連結する円柱状の中央連結部２７が形成されている。尚、この中央連結部２７は、ポンプインレット用フィルタ２１を一体成形する際の金型に設けられたゲートの位置と対応し、その成形時には溶融樹脂が中央連結部２７から各部に広がるように流れ込むことになる。
【００２１】
次に、上記実施形態の作用について説明する。
まずウォッシャポンプ１２がウォッシャタンク１１に組み付けられた状態で、ウォッシャタンク１１内にウォッシャ液Ｗが注入されると、該ウォッシャ液Ｗは、ポンプインレット用フィルタ２１（長孔２２ａ，２３ａ）及びインレット１３を通ってウォッシャポンプ１２内のポンプ室に充填される。そして、ウォッシャポンプ１２のポンプモータが駆動されると、ウォッシャ液Ｗがポンプインレット用フィルタ２１（長孔２２ａ，２３ａ）及びインレット１３を通ってポンプ室に取り込まれるとともに、該ポンプ室のウォッシャ液Ｗがアウトレット１４からホースを介してウォッシャノズルに給送されて該ウォッシャノズルから洗浄面に吐出される。
【００２２】
次に、上記実施の形態の特徴的な効果を以下に記載する。
（１）ウォッシャ液Ｗが通過する孔が単純なスクエア形状ではなく長孔２２ａ，２３ａとされ、しかも該長孔２２ａ，２３ａが形成された板状部２２，２３はその板厚方向に間隔Ａを有して並設されるため、ポンプインレット用フィルタ２１に表面張力によってウォッシャ液Ｗが留まることを抑えることができる。よって、例えば、上記のようにウォッシャタンク１１内にウォッシャ液Ｗを初めて注入するような初期使用時等でもポンプ室内への液体の流入が阻害され難くなる。これにより、例えば、ウォッシャポンプ１２を駆動させた際にポンプ室内でロータが空転してしまうといったことを抑えることができる。
【００２３】
又、一方の板状部２２の長孔２２ａは板厚方向から見て同板厚方向に隣り合う他方の板状部２３の長孔２３ａに対してその長手方向が異なる角度を有するように形成される。よって、例えば、毛髪等の長尺な異物が前段の板状部２２の長孔２２ａを通過したとしても後段の板状部２３の長孔２３ａを通過することは困難となり、ポンプ室内への異物の侵入が抑制される。
【００２４】
（２）板状部２２，２３は２枚設けられ、それらの長孔２２ａ，２３ａは板厚方向から見て長手方向が互いに９０°の角度を有するように形成されるため、板状部２２，２３の数を最低としながら、ポンプ室内への異物の侵入を効果的に抑制することができる。
【００２５】
（３）板状部２２，２３は、板厚方向に長孔２２ａ，２３ａの短手方向幅Ｂと同じ長さの間隔Ａを有して並設される。よって、長孔２２ａ，２３ａの短手方向幅Ｂを表面張力によって液体が留まり難い最小の幅に設定したとすると、板状部２２，２３の間隔Ａも表面張力によって液体が留まり難い最小の間隔となり、ポンプインレット用フィルタ２１全体の前記板厚方向の厚さを極力薄くすることができる。
【００２６】
（４）板状部２２，２３の中央部には、該板状部２２，２３同士を板厚方向に連結する中央連結部２７が形成されるため、中央連結部２７が形成されていないものに比べて、板状部２２，２３を薄くしてもその中央部が撓んでしまうことを抑制することができる。
【００２７】
上記実施形態は、以下のように変更してもよい。
・上記実施形態では、板状部２２，２３は２枚設けられるとしたが、これに限定されず、３枚以上に変更してもよい。
【００２８】
・上記実施形態では、長孔２２ａ，２３ａは板厚方向から見て長手方向が互いに９０°の角度を有するように形成されるとしたが、異なる角度を有するように形成されれば、他の角度に変更してもよい。
【００２９】
・上記実施形態では、板状部２２，２３は、板厚方向に長孔２２ａ，２３ａの短手方向幅Ｂと同じ長さの間隔Ａを有して並設されるとしたが、これに限定されず、前記短手方向幅Ｂとは異なる長さの間隔で並設してもよい。
【００３０】
・上記実施形態では、板状部２２，２３の中央部には、該板状部２２，２３同士を板厚方向に連結する中央連結部２７が形成されるとしたが、これに限定されず、中央連結部２７が形成されていないポンプインレット用フィルタとしてもよい。又、中央連結部２７は複数箇所に形成してもよい。
【００３１】
・上記実施形態では、ポンプインレット用フィルタ２１が２枚の板状部２２，２３を一体成形してなるものとしたが、これに限定されず、２つ以上の部品を組み付けてポンプインレット用フィルタ２１を製造してもよい。
【００３２】
・上記実施形態では、ポンプインレット用フィルタ２１をウォッシャポンプ１２のインレット１３に設けたが、他の用途のポンプのインレットに設けてもよい。
【符号の説明】
【００３３】
１１…ウォッシャタンク、１２…ウォッシャポンプ（ポンプ）、１３…インレット、２１…ポンプインレット用フィルタ、２２，２３…板状部、２２ａ，２３ａ…長孔、２７…中央連結部、Ａ…間隔、Ｂ…短手方向幅、Ｗウォッシャ液。
【図１】
2014152739.tif 000003
【図２】
2014152739.tif 000004
【図３】
2014152739.tif 000005